(57)【特許請求の範囲】
【請求項１】
斜面における転石を地盤中に根入れを有する剛体とみなし、該根入れを有する剛体の固有振動数が根入れ比、地盤強度、剛体の縦横比と関係することを利用して転石の根入れの深さを推定する転石を模擬した剛体の振動特性による根入れ深さの推定方法であって、
前記根入れを有する剛体の露出部分を根入れがない剛体とみなし、該露出部分の寸法ａ，ｂ，ｈ0 〔奥行き（縦）、幅（横）、高さ〕、重量Ｗ、地盤強度としての変形係数Ｅを把握し、
前記根入れがないとみなした剛体の固有振動数ｆ0 * を地盤強度に関係した無次元量Ｑ1 および該剛体の縦横比に関係した無次元量Ｑ2 を用いて以下の式で近似し、
ｆ0 * ＝０．７４５Ｑ1 ・Ｑ2 ＋２．５３７
上記式から得られた前記根入れがないとみなした剛体の固有振動数ｆ0 * と実測した前記転石の固有振動数ｆの比を用いて、以下の式で前記転石の根入れ深さｄを推定することを特徴とする、転石を模擬した剛体の振動特性による根入れ深さの推定方法。
ｄ＝０．３５８（ｆ／ｆ0 * ）−０．３５１
なお、上記式において、Ｑ1 ＝｛Ｅ／（Ｗ／Ａ）｝1/2 、Ｅは地盤の変形係数、Ｗは剛体の重量、Ａは剛体の底面積であり、Ｑ2 ＝√｛（ｂ／ｈ0 ）2 ／（ｂ／ｈ0 ）2 ＋１｝、ｂは剛体の打撃方向の幅、ｈ0 は剛体の露出部分の高さである。
【請求項２】
請求項１記載の転石を模擬した剛体の振動特性による根入れ深さの推定方法において、前記根入れ比は、前記剛体の高さにおける根入れ部分の長さ／露出部分の高さであることを特徴とする転石を模擬した剛体の振動特性による根入れ深さの推定方法。
【請求項３】
請求項１記載の転石を模擬した剛体の振動特性による根入れ深さの推定方法において、前記転石の固有振動数ｆの実測は、前記転石にゴムハンマーによる打撃を加えて行うことを特徴とする転石を模擬した剛体の振動特性による根入れ深さの推定方法。
【発明の詳細な説明】
【技術分野】
【０００１】
本発明は、転石を模擬した剛体の振動特性による根入れ深さの推定方法に関するものである。
【背景技術】
【０００２】
鉄道沿線斜面に存在する多数の転石の落石危険度を効率的、かつ定量的に判定し、危険度の高い転石に対して適切な措置を施すことが、落石災害に対する鉄道の安全・安定輸送の維持にとって重要である。
【０００３】
落石の発生形態には、転石型（転落型）とはく落型の２種類のタイプがある。前者のタイプは、鉄道関係では転落型、道路関係では抜け落ち型もしくは転石型という名称が用いられているが、本発明では、前者のタイプを転石型ということにする。
【０００４】
図１７に示すように、転石型落石は、「岩塊より軟質な物質（マトリックス）中に岩塊が埋まっている地山で、マトリックス部が選択的に風化浸食されて、岩塊が浮き出し、落下するもの」である（下記非特許文献１，２参照）。
【先行技術文献】
【非特許文献】
【０００５】
【非特許文献１】鉄道総合技術研究所：落石対策技術マニュアル，ｐｐ. ２−４，１９９９．３
【非特許文献２】日本道路協会：落石対策便覧，ｐｐ. ７−９，２０００．６
【非特許文献３】緒方健治，松山裕幸，天野淨行：振動特性を利用した落石危険度の判定，土木学会論文集，Ｎｏ．７４９／ＶＩ−６１，ｐｐ. １２３−１３５，２００３．１２
【非特許文献４】竹本将，藤原優，横田聖哉，三塚隆，甲斐国臣，岡本栄：落石危険度振動調査法を用いた現地調査および判定システムの開発−落石の危険度を現地で判定するシステムの開発−，土木学会第６５回年次学術講演会，ｐｐ．７５−７６，２０１０．９
【非特許文献５】斉藤秀樹，大塚康範，上半文昭，小島謙一，村田修，馬貴臣，沢田和秀，八嶋厚，深田隆弘：遠隔非接触振動計測による岩盤斜面の安定性評価に関する基礎実験，土木学会第６５回年次学術講演会，ｐｐ．４７−４８，２０１０．９
【非特許文献６】斎藤秀樹，大塚康範，馬貴臣，沢田和秀，上半文昭，村田修，深田隆弘：遠隔非接触振動計測による岩塊の安定性評価法に関する検討，第４６回地盤工学研究発表会，ｐｐ．１８４５−１８４６，２０１１．７
【非特許文献７】深田隆弘，泉並良二，森泰樹：斜面上転石の振動計測を目的としたシステム構築と計測結果に関する考察，土木学会第６５回年次学術講演会，ｐｐ．７７−７８，２０１０．９
【非特許文献８】鉄道総合技術研究所：鉄道構造物等設計標準・同解説（基礎構造物・抗土圧構造物），ｐｐ．１２８−１２９，２０００．６
【非特許文献９】鉄道総合技術研究所：鉄道構造物等設計標準・同解説（基礎構造物・抗土圧構造物），ｐｐ．８８−８９，２０００．６
【発明の概要】
【発明が解決しようとする課題】
【０００６】
上記した危険度の高い転石に対して種々の対策（上記非特許文献３〜６参照）が試みられているが、まだ、落石危険度に大きく関係する転石の根入れ深さの実用的な推定方法が提案されるまでには至っていない。
【０００７】
本発明は、上記状況に鑑みて、斜面における転石型落石を対象とし、この転石を地盤中に根入れを有する剛体に模擬し、その振動特性から落石危険度に関係する根入れ深さの推定を行うことができる、コンパクトで、しかも、実斜面においても十分使用可能な、転石を模擬した剛体の振動特性による根入れ深さの推定方法を提供することを目的とする。
【課題を解決するための手段】
【０００８】
本発明は、上記目的を達成するために、
〔１〕斜面における転石を地盤中に根入れを有する剛体とみなし、この根入れを有する剛体の固有振動数が根入れ比、地盤強度、剛体の縦横比と関係することを利用して転石の根入れの深さを推定する転石を模擬した剛体の振動特性による根入れ深さの推定方法であって、前記根入れを有する剛体の露出部分を根入れがない剛体とみなし、この露出部分の寸法ａ，ｂ，ｈ0 〔奥行き（縦）、幅（横）、高さ〕、重量Ｗ、地盤強度としての変形係数Ｅを把握し、前記根入れがないとみなした剛体の固有振動数ｆ0 * を地盤強度に関係した無次元量Ｑ1 および該剛体の縦横比に関係した無次元量Ｑ2 を用いて以下の式で近似し、
ｆ0 * ＝０．７４５Ｑ1 ・Ｑ2 ＋２．５３７
上記式から得られた前記根入れがないとみなした剛体の固有振動数ｆ0 * と実測した前記転石の固有振動数ｆの比を用いて、以下の式で前記転石の根入れ深さｄを推定することを特徴とする。
【０００９】
ｄ＝０．３５８（ｆ／ｆ0 * ）−０．３５１
なお、上記式において、Ｑ1 ＝｛Ｅ／（Ｗ／Ａ）｝1/2 、Ｅは地盤の変形係数、Ｗは剛体の重量、Ａは剛体の底面積であり、Ｑ2 ＝√｛（ｂ／ｈ0 ）2 ／（ｂ／ｈ0 ）2 ＋１｝、ｂは剛体の打撃方向の幅、ｈ0 は剛体の露出部分の高さである。
【００１０】
〔２〕上記〔１〕記載の転石を模擬した剛体の振動特性による根入れ深さの推定方法において、前記根入れ比は、前記剛体の高さにおける根入れ部分の長さ／露出部分の高さであることを特徴とする。
【００１１】
〔３〕上記〔１〕記載の転石を模擬した剛体の振動特性による根入れ深さの推定方法において、前記転石の固有振動数ｆの実測は、前記転石にゴムハンマーによる打撃を加えて行うことを特徴とする。
【発明の効果】
【００１２】
本発明によれば、次のような効果を奏することができる。
（１）転石を地盤中に根入れがある剛体に模擬し、この剛体に代えて寸法と重量の異なる供試体を作成して地盤強度、根入れ深さなどの条件を変えて固有振動数の測定実験を行うことにより、落石危険度に関係が大きい転石の根入れ深さの実用的な推定方法を提供することができる。この実験で行った固有振動数の測定方法は、打撃に使用するゴムハンマーを用いたシステム構成がコンパクトであるために、実斜面においても十分使用可能である。
（２）剛体や地盤をモデル化して３次元有限要素法による固有値解析により、実験を再現することを提案した。その場合、地盤自体の振動の影響を排除するために地盤の密度を０とし、さらに静的に測定した平板載荷試験相当値に対して、地盤のひずみ効果を考慮した動的な２倍相当値を用いて地盤を評価することによって、実験と解析の結果の適合性が良いことを実証することができた。
（３）地盤中に根入れを有する剛体の振動特性は非線形性の高い挙動を示すと考えられるが、地盤強度や剛体の形状に関して定義した無次元量Ｑ1 やＱ2 などと相関が高いことを示し、これらを説明変数とした推定式によって固有振動数を算定することができた。
（４）また、本発明では根入れ深さの推定を目的としているので、露出部分を根入れなしとみなして算定した固有振動数と根入れがある状態での実測固有振動数を用いて、根入れ深さを推定する推定式を提供した。
【図面の簡単な説明】
【００１３】
【図１】本発明に係る剛体とみなす供試体の形状および重量を示す図である。
【図２】本発明に係る地盤材料の粒径加積曲線を示す図である。
【図３】本発明に係る供試体の加振および振動計測の概要を示す図である。
【図４】本発明に係る供試体の振動を測定記録した加速度波形を示す図である。
【図５】本発明に係るＦＦＴ処理による固有振動数の算定例を示す図である。
【図６】本発明に係る供試体の形状と配置を示す図である。
【図７】本発明に係る供試体の根入れ比と固有振動数の関係（実験結果）を示す図である。
【図８】本発明に係る供試体の根入れ比が０（固有値）の解析結果を示す図である。
【図９】本発明に係る供試体の根入れ比と固有振動数の関係（解析結果）を示す図である。
【図１０】本発明に係る固有振動数（解析値）と固有振動数（実験値）の相関を示す図である。
【図１１】本発明に係る地盤の変形係数と固有振動数の関係を示す図である。
【図１２】本発明に係る縦横比に関係する無次元量Ｑ2 と固有振動数ｆ0 の関係を示す図である。
【図１３】本発明に係る地盤中に根入れのある剛体を示す図である。
【図１４】本発明に係る剛体の露出部分を示す図である。
【図１５】本発明に係る固有振動数の相関（解析値と推定式）を示す図である。
【図１６】本発明に係る根入れ深さの相関（実長と推定長）を示す図である。
【図１７】転石型落石の例を示す模式図である。
【発明を実施するための形態】
【００１４】
本発明の転石を模擬した剛体の振動特性による根入れ深さの推定方法は、斜面における転石を地盤中に根入れを有する剛体とみなし、この根入れを有する剛体の固有振動数が根入れ比、地盤強度、剛体の縦横比と関係することを利用して転石の根入れの深さを推定する転石を模擬した剛体の振動特性による根入れ深さの推定方法であって、前記根入れを有する剛体の露出部分を根入れがない剛体とみなし、この露出部分の寸法ａ，ｂ，ｈ0 〔奥行き（縦）、幅（横）、高さ〕、重量Ｗ、地盤強度としての変形係数Ｅを把握し、前記根入れがないとみなした剛体の固有振動数ｆ0 * を地盤強度に関係した無次元量Ｑ1 および該剛体の縦横比に関係した無次元量Ｑ2 を用いて以下の式で近似し、
ｆ0 * ＝０．７４５Ｑ1 ・Ｑ2 ＋２．５３７
上記式から得られた前記根入れがないとみなした剛体の固有振動数ｆ0 * と実測した前記転石の固有振動数ｆの比を用いて、以下の式で前記転石の根入れ深さｄを推定する。
【００１５】
ｄ＝０．３５８（ｆ／ｆ0 * ）−０．３５１
なお、上記式において、Ｑ1 ＝｛Ｅ／（Ｗ／Ａ）｝1/2 、Ｅは地盤の変形係数、Ｗは剛体の重量、Ａは剛体の底面積であり、Ｑ2 ＝√｛（ｂ／ｈ0 ）2 ／（ｂ／ｈ0 ）2 ＋１｝、ｂは剛体の打撃方向の幅、ｈ0 は剛体の露出部分の高さである。
【実施例】
【００１６】
以下、本発明の実施の形態について詳細に説明する。
【００１７】
本発明では、転石型落石を対象とし、落石危険度に大きく関係する転石の根入れ深さを推定する方法を提案する。本方法では、まず転石を「地盤中に根入れを有する剛体」として模擬する。この剛体として、重量や寸法の異なる供試体を準備して、これら供試体を異なる地盤強度や異なる根入れ深さで埋設し、ハンマーで打撃して測定した加速度波形から固有振動数を算定する（実験）。次に、この実験結果を３次元有限要素法による固有値解析で再現する（解析）。次いでこの実験および解析で得られた、地盤中に根入れを有する剛体の振動特性を利用して、転石の根入れ深さを推定する。以下に、段階を追って、その方法を説明する。
【００１８】
図１は本発明に係る剛体とみなす供試体の形状および重量を示す図である。図１（ａ）は供試体Ａ、図１（ｂ）は供試体Ｂを示しており、供試体Ａは０．３ｍ（縦）×０．４ｍ（横）×０．５ｍ（高さ）で重量１．３８ｋＮ、供試体Ｂは０．３ｍ（縦）×０．４ｍ（横）×０．８ｍ（高さ）で重量２．２１ｋＮの２種類である。実験で用いる供試体は、コンクリート（呼び強度２４，Ｗ／Ｃ＝６０％）で製作した。供試体の寸法や重量は、鉄道における落石災害の実態から、重量が２ｋＮ程度までの発生件数が多いこと、さらに形状の影響を調べるために寸法を変えて多くのケースの実験が行えることから直方体で上記した寸法と重量とした。
【００１９】
一方、供試体を埋設するための土槽は、２つの供試体Ａ，Ｂを同時に並べて実験ができるとともに境界の影響を受けない十分な大きさとし、縦２ｍ×横３ｍ×深さ２ｍとした。これに基礎地盤を高さ１ｍ構築した後に、供試体を水平に設置し、順次根入れ部の地盤を構築しながら振動計測を行う。
【００２０】
なお、土槽本体は、鋼製山留め材と合板によって強固に作製するようにしている。
【００２１】
次に、地盤材料の特性について説明する。
【００２２】
基礎地盤および根入れ地盤として使用した材料の特性および粒径加積曲線は、表１と図２に示される通りで、工学的分類は礫まじり細粒分質砂（ＳＦ−Ｇ）である。なお、図２において、横軸は粒径（ｍｍ）、縦軸は通過質量百分率（％）を示している。
【００２３】
【表１】
0005943660.tif 000002
【００２４】
以下、実験例について説明する。
【００２５】
実験で用いる地盤強度は小型ＦＷＤ試験機による平板載荷試験相当値の地盤反力係数で管理することとし、目標とした地盤反力係数の値は、軟：４０〜５０ＭＮ／ｍ3 ，中：７０〜８０ＭＮ／ｍ3 ，硬：１００ＭＮ／ｍ3 以上の３種類の強度である。
【００２６】
これら所定の強度をもつ地盤を製作するために予め予備的な締固め試験を行い、地盤材料の撤き出し厚１００〜１５０ｍｍや振動プレート６０ｋｇ級による転圧回数などの締固め条件を定めた。地盤構築後、実際に測定した地盤反力係数の値は、表２に示すように、軟：４７．６ＭＮ／ｍ3 ，中：７９．１ＭＮ／ｍ3 , 硬：１４６ＭＮ／ｍ3 である。
【００２７】
【表２】
0005943660.tif 000003
【００２８】
実験における根入れの条件は、根入れ比ｄ／ｈ0 （ｄ：根入れ長, ｈ0 ：露出高さ）が０, １／３, １となる３種類とした。供試体を縦に置いたり横に置いたりすることによって、根入れ比を変えずに根入れ長や露出長が異なるケースの実験を行うことができる。
【００２９】
実験は地盤種別の軟から順次行い、撒き出し各層ごとに地盤反力係数を測定管理しながら根入れ地盤を構築していく。そして根入れ比を変化させたひとシリーズの実験が終了すると根入れ地盤を撤去し、基礎地盤を０．１ｍすきとり、地盤反力係数が大きく変化していないことを確認して、次の締固め条件で異なる地盤種別の根入れ地盤を構築する。また地盤強度が異なる実験ケースの場合には、所定強度となるよう基礎地盤からすべて作り直した。
【００３０】
この繰り返し手順により実施した実験ケースは、表２に示すように、供試体Ａ，Ｂの２種類、地盤種別の軟、中、硬の３種類、根入れ比０，１／３，１の３種類の組み合わせである。
【００３１】
次に、実験における計測方法（加振および振動計測）について説明する。
【００３２】
図３は本発明に係る供試体の加振および振動計測の概要を示す図であり、図３（ａ）は実験方法の模式図、図３（ｂ）は加速度計の設置状況を示す図面代用写真、図３（ｃ）は加振および振動計測のシステム構成図である。
【００３３】
図３に示すように、供試体１の上面に２個の加速度計２を取り付け、座標は常に供試体１底面の短辺方向がｘ方向、長辺方向がｙ方向、鉛直方向がｚ方向となるように決め、ｘ, ｙの各方向にゴムハンマー３で１０回程度ずつ打撃した時の加速度波形をＡＤ変換器４に通してパーソナルコンピュータ（ＰＣ）５に記録する。なお、６は根入れ地盤、７は基礎地盤である。
【００３４】
振動計測に使用する機器の仕様は、加速度計２は圧電式、プリアンプ内蔵型、３軸型であり、振動数範囲が３−５，０００Ｈｚ、ＡＤ変換器４は１６チャンネル同時サンプリング型であり、その周波数は８８．２ｋＨｚ／ｃｈ（ＭＡＸ）、増幅度は１−１００倍である。
【００３５】
振動計測のシステム化については、接道条件や作業条件が必ずしも良好でない鉄道沿線斜面で使用することを考慮し、プリアンプ内蔵のＩＣＴ（情報通信技術：Ｉｎｆｏｒｍａｔｉｏｎ  ａｎｄ  ｃｏｍｍｕｎｉｃａｔｉｏｎ  ｔｅｃｈｎｏｌｏｇｙ）タイプの機器を採用し、チャージアンプを不要とするなどしたシンプル、かつ、コンパクトなシステム構成としている。
【００３６】
図４は本発明に係る供試体の振動を測定記録した加速度波形を示す図であり、図４（ａ）はその測定した加速度波形であり、横軸は計測時間（分：秒）を、縦軸は加速度（ｍ／ｓ2 ）を示しており、図４（ｂ）は加速度波形を１波形毎に切り取ったものである。また、図５は本発明に係るＦＦＴ処理後の固有振動数を示す図であり、図４（ｂ）に示した１波形毎に切り取られた加速度波形をＦＦＴ処理した結果を示している。なお、図５において、横軸は固有振動数（Ｈｚ）、縦軸はフーリエ振幅を示している。
【００３７】
上記した図４および図５に示すように、記録した加速度波形を、１波ずつ高速フーリエ変換（ＦＦＴ）し、そのときのフーリエスペクトルの最大値となる卓越振動数を供試体１の固有振動数とする。
【００３８】
加振にゴムハンマー３を用いたのは、鋼製ハンマーと比べて打撃時に岩塊との接触時間が長く、小型のものでも比較的大きな衝撃力が得られることと、測定対象となる１０〜８０Ｈｚ程度の振動数領域において安定した衝撃力を岩塊に加えることができるためである。
【００３９】
次に、上記のようにして得られた実験結果について説明する。
【００４０】
地盤中に根入れを有する剛体の固有振動数は、剛体の形状、周辺の地盤強度、根入れ深さなどに関係がある。そこで、まず供試体および地盤強度別に根入れ比の違いによる固有振動数について説明する。
【００４１】
図６は本発明に係る実験に用いた供試体の形状と配置を示す図であり、図６（ａ）は第１の供試体Ａ（Ａ−Ｈ５００）であり、０．３ｍ（縦）ｘ、０．４ｍ（横）ｙ、０．５ｍ（高さ）、図６（ｂ）は第１の供試体Ｂ（Ｂ−Ｈ８００）であり、縦０．３ｍ、横０．４ｍ、高さ０．８ｍ、図６（ｃ）は第２の供試体Ａ（Ａ−Ｈ４００）であり、縦０．３ｍ、横０．５ｍ、高さ０．４ｍ、図６（ｄ）は第２の供試体Ｂ（Ｂ−Ｈ４００）であり、縦０．３ｍ、横０．８ｍ、高さ０．４ｍである。すなわち、第１の供試体Ａは図１で示した供試体Ａであり、第１の供試体Ｂは図１で示した供試体Ｂであり、第２の供試体Ａは第１の供試体Ａの設置方向を変えたもの、第２の供試体Ｂは第１の供試体Ｂの設置方向を変えたものである。これらの供試体について表２で示した地盤種別３種類、根入れ比３種類に加えて、さらに打撃方向をｘ，ｙの２方向で実験を行うので、全体で７２個の固有振動数データが得られる。
【００４２】
図６（ａ）に示す第１の供試体Ａを高さ０．５ｍとなるように設置（図中「Ａ−Ｈ５００」と表記）し、０．３ｍの短辺方向（縦）に打撃した時をｘ方向の固有振動数ｆｘ、０．４ｍの長辺方向（横）に打撃した時をｙ方向の固有振動数ｆｙとする。同様に、図６（ｂ）に示す第１の供試体Ｂを高さ０．８ｍとなるように設置（「Ｂ−Ｈ８００」と表記）した時の打撃方向ｘ，ｙの固有振動数もｆｘとｆｙとし、図７にその実験結果を示す。
【００４３】
図７は本発明に係る供試体の根入れ比と固有振動数の関係を示す図であり、図７（ａ）は第１の供試体Ａ、高さ０．５ｍ（Ａ−Ｈ５００），地盤は「軟」の場合、図７（ｂ）は第１の供試体Ａ、高さ０．５ｍ（Ａ−Ｈ５００），地盤は「中」の場合、図７（ｃ）は第１の供試体Ｂ、高さ０．８ｍ（Ｂ−Ｈ８００），地盤は「軟」の場合、図７（ｄ）は第１の供試体Ｂ、高さ０．８ｍ（Ｂ−Ｈ８００），地盤は「中」の場合の実験結果を示す図である。なお、地盤種別は表２に示した通りである。
【００４４】
いずれも地盤「軟」と「中」のケースについての結果であるが、この結果より固有振動数は根入れ比ｄ／ｈ0 に比例して大きくなるとともに、地盤強度によっても増大していくことが分かる。
【００４５】
また、供試体ＡとＢの違いは重量と高さであるが、地盤強度が同条件の場合、供試体Ａの固有振動数の方が全体的に大きくなっている。
【００４６】
いずれの結果も、根入れ比が大きくなると、固有振動数が大きくなり、両者は直線で近似することができる。
【００４７】
なお、地盤「硬」のケースや第２の供試体Ａ，Ｂのケースの実験結果も図７と同様の傾向を示していたのでここでは省略した。
【００４８】
次に、上記実験で得られた固有振動数を３次元有限要素法による固有解析で再現する。そこで、３次元有限要素法による固有解析について説明する。
【００４９】
（１）解析モデルと計算条件
まず、地盤中に根入れを有する剛体の固有振動数を解析的に求めるため、実験を行った供試体と地盤とをモデル化して、３次元有限要素法による固有値解析を行う。
【００５０】
供試体と地盤のモデルの大きさについては、実大とし、地盤は等方弾性体としている。また解析にあたっての境界条件は、底面および側面について水平鉛直とも固定支持としている。さらに供試体と地盤とのはく離は無視し、完全密着を仮定した。
【００５１】
その他の解析上の工夫として、地盤の密度を０としている。これは地盤自体の振動が供試体の振動に影響を及ぼし、供試体の固有振動数を低次モードの順に特定することが困難となったからである。すなわち、地盤の振動の影響を排除するために地盤の密度は０とした。
【００５２】
地盤強度については、次のように評価している。すなわち、実験では地盤強度の管理を小型ＦＷＤで行い、平板載荷試験相当値としてのｋV30 を測定している。任意の幅を持つ剛体の底面に対する地盤反力係数、およびその地盤反力係数と地盤の変形係数の関係はそれぞれ次式（１）、（２）で表わされる（上記非特許文献７参照）。
【００５３】
ｋV ＝ｋV30 （ＢV ／０．３）-3/4                        …（１）
Ｅ0 ＝Ｂ（１−ｖ2 ）ｋV ・ＩP                           …（２）
ここで、ｋV ：地盤反力係数（ＭＮ／ｍ3 ）
ｋV30 ：載荷板直径３０ｃｍの地盤反力係数（ＭＮ／ｍ3 ）
ＢV ：剛体の換算幅〔ＢV ＝√（ａ×ｂ），ｍ〕
Ｅ0 ：地盤の変形係数（ＭＰａ）
Ｂ：載荷幅（ＭＰａ）
ｖ：ポアソン比（０．３）
ＩP ：形状係数
である。さらに、平板載荷試験などの比較的大きなひずみ領域から算定された静的な変形係数に対して、微小なひずみ領域の場合の動的な値は２倍程度の値で評価することが行われている（上記非特許文献８参照）。
【００５４】
Ｅ＝２Ｅ0                                               …（３）
上記式（１）〜（３）から、実験条件での地盤強度を変形係数に換算すると、ポアソン比ｖ＝０．３として、地盤種別の「軟」、「中」、「硬」はそれぞれ、Ｅ0 （軟）＝７．５ＭＰａ、Ｅ0 （中）＝１２．５ＭＰａ、Ｅ0 （硬）＝２３．１ＭＰａとなる。また２倍相当値は、Ｅ（軟）＝１５．０ＭＰａ、Ｅ（中）＝２５．０ＭＰａ、Ｅ（硬）＝４６．２ＭＰａとなる。
【００５５】
以上の計算条件で各ケースの固有値解析を行うこととし、その一例として図８に図６の第１供試体Ａ（Ａ−Ｈ５００）、根入れ比ｄｈ0 ＝０の解析結果を示す。なお、図８において、１１は地盤、１２は供試体（Ａ−Ｈ５００）である。
（２）解析結果
図７で示した実験結果の整理と同様に、解析結果についても根入れ比と固有振動数の関係を図９に示す。図７の実験結果と同様に、根入れ比と固有振動数は比例関係にあることが分かる。
（３）実験と解析の適合性
図１０に固有値解析の結果得られた固有振動数と実験で測定された固有振動数の相関を示す。図１０において、白丸は第１の供試体Ａ（Ａ−−Ｈ５００）、白四角は第１の供試体Ｂ（Ｂ−−Ｈ８００）、白菱形は第２の供試体Ａ（Ａ−Ｈ４００、白三角は第２の供試体Ｂ（Ｂ−Ｈ４００）であり、プロットはそれぞれの凡例が示す実験ケース（表記は図６参照）において、地盤強度を２倍相当の２Ｅ0 とした場合である。そして、この時の結果は、近似線（太線）で表わすことができる。同様に図が煩雑となることを避けるためにプロットはしていないが、地盤強度をＥ0 とした場合には、近似線（一点鎖線）となる。このように地盤強度を２倍相当値の２Ｅ0 で評価することにより、固有値解析結果と実験結果との適合が良いことが分かる。
【００５６】
以上の通り、供試体と地盤を実験条件と同等の寸法でモデル化し、地盤自体の振動の影響を排除するために密度は０とすること、加えて地盤強度を微小なひずみ領域の場合の動的な値として静的な値の２倍相当で評価することにより、実際の現象を解析的に再現することができる。
【００５７】
ただし、実験結果には多少のばらつきが見られるため、以後の検討は解析結果に基づいて行うこととする。
（４）地盤強度と固有振動数の関係
図１１は本発明に係る地盤の変形係数と剛体の固有振動数の関係を示す図である。横軸に地盤強度に関係する特性値として、変形係数（Ｅ）と剛体の重量（Ｗ）、および剛体が地盤と接する底面積（Ａ＝ａ×ｂ）から成る無次元量｛Ｅ／（Ｗ／Ａ）｝1/2 を、そして縦軸に固有振動数を示しており、図６の第１の供試体Ａ（Ａ−Ｈ５００）の根入れ比０，１／３，１のケースの解析結果の例である。図１１において、黒丸はＡ−Ｈ５００−０−ｘ，白丸はＡ−Ｈ５００−０−ｙ，黒三角はＡ−Ｈ５００−１／３−ｘ，白三角はＡ−Ｈ５００−１／３−ｙ，黒四角はＡ−Ｈ５００−１−ｘ，白四角はＡ−Ｈ５００−１−ｙである。（なお、Ａ−５００の後の数字が根入れ比、その後のｘ，ｙが打撃方向を示す）
この特性値と固有振動数の関係が直線となることから、比例定数αを用いて、両者の関係を下記の式（４）のように表すことができる。
【００５８】
ｆ＝α｛√（Ｅ／（Ｗ／Ａ）｝＝αＱ1                     …（４）
なお、ここに示した無次元量をＱ1 ＝｛Ｅ／（Ｗ／Ａ）｝1/2 と定義しておく。
【００５９】
Ａ−Ｈ５００以外の解析ケースについても、同様の関係が得られ、その時の各ケースにおける比例定数αは、表３に示す値となる。
【００６０】
【表３】
0005943660.tif 000004
【００６１】
（５）剛体の形状と固有振動数の関係
次に、剛体の形状と固有振動数の関係について考える。
【００６２】
地震時に墓石のような根入れのない剛体が転倒した事例から、その時の地動加速度を推定するための考察や研究が報告されている（上記非特許文献９参照）。これは剛体の高さｈ0 と地震動の卓越方向幅ｂにより得られる縦横比ｂ／ｈ0 が剛体の静的な転倒条件に関係していることに基づいている。すなわち、剛体の形状を代表する縦横比と安定度との間には高い相関があることが推測されるため、この縦横比と剛体の固有振動数の関係について検討した。
【００６３】
ｂ／ｈ0 ，（ｂ／ｈ0 ）1/2 ，（ｂ／ｈ0 ）2 など、縦横比を基本とした特性値を検討した結果、下記の式（５）に示した無次元量Ｑ2 が、根入れのない剛体の固有振動数と高い相関を有することが分かった。
【００６４】
Ｑ2 ＝√｛（ｂ／ｈ0 ）2 ／（ｂ／ｈ0 ）2 ＋１｝          …（５）
ここで、ｂ：剛体の打撃方向の幅（ｍ）
ｈ0 ：根入れなしの剛体の高さ（ｍ）
である。
【００６５】
図１２は本発明に係る縦横比に関係する無次元量Ｑ2 と固有振動数ｆ0 の関係を示す図である。
【００６６】
ここで、この縦横比に関係する無次元量Ｑ2 の物理的な意味を考える必要がある。今、半無限弾性地盤上にある剛体のロッキング振動について、根入れがない場合の振動数方程式は、下記の式（６）に示すＹおよびΘについての同次方程式の係数の行列式を０に等置した式として得られる（上記非特許文献９参照）（ただし文献中の記号は本明細書におけるものに置き換え、その他の新たに出てくるものとして、Ｍ：質量, ｎ：固有円振動数, ｋs ：水平地盤係数, ｋv ：鉛直地盤係数, Ｊ：重心まわりの質量の慣性モーメントである）。
【００６７】
（ａｂｋs −Ｍｎ2 ）Ｙ−（ａｂｈ0 2 ｋs ／４）Θ＝０−（ａｂｈ0 ｋs ／２）Ｙ＋｛（ａｂ3 ｋv ／１２）＋（ａｂｈ0 2 ｋs ／４  ）−Ｊｎ2 ｝Θ＝０
…（６）
上記式（６）において、簡略のために水平地盤係数ｋs ＝０とすると、振動数方程式は次式となる。
【００６８】
ＭＪｎ4 −（Ｍａｂ3 ｋv ／１２）ｎ2 ＝０                  …（７）
上記の式（７）をｎについて解くと、ロッキング振動の第一次の固有振動数はｎ＝２πｆの関係を用いて書き直して、下記の式（８）となり、上記式（５）で定義した値が係数として出てくる。
ｆ＝√｛（ｂ／ｈ0 ）2 ／（ｂ／ｈ0 ）2 ＋１｝・１／２π√（ｋv ａｂ／Ｍ）                  …（８）
ｆ＝１／２π√（Ｋ／Ｍ）                                …（９）
ここで、ばね定数がＫで質量Ｍの質点系の単振動の固有振動数が上記式（９）で表せることと合わせて考えれば、基本となる固有振動数に係数として係る縦横比ｂ／ｈ0 に関係する無次元量Ｑ2 には意味がある。
【００６９】
上記したように、地盤の振動の影響を排除するために密度を０とすることにより、根入れを有する剛体の固有値解析が可能となり、さらに地盤のひずみを考慮して変形係数を静的値の２倍相当で評価することにより、実験結果と解析の適合性が良いことを示した。
【００７０】
また、根入れを有する剛体の固有振動数は、根入れ比、地盤強度、剛体の形状を代表する縦横比などと関係があることがわかった。
【００７１】
すなわち、地盤中に根入れを有する剛体の挙動は複雑な非線形現象であるが、いくつかの説明変数により固有振動数を目的変数とする推定式を作成することができる。
【００７２】
そこで、以下のようにして、重回帰分析による根入れ深さの推定式を作成する。
（１）根入れ深さの推定式
図１３は本発明に係る地盤中に根入れのある剛体を示す図、図１４は本発明に係る剛体の露出部分を示す図である。
【００７３】
図１３に示すように、地盤２１中に根入れを有する剛体２２の固有振動数を算定してきた。この時の固有振動数の測定結果を利用して根入れ深さｄを推定する手順を提案する。
【００７４】
まず、図１４に示すように、地盤２１中に根入れを有する剛体２２の地表の露出部分に着目して考える。この露出部分については、寸法ａ，ｂ，ｈ0 〔奥行き（縦）、幅（横）、露出部分の高さ〕や重量Ｗ，そして地盤２１の強度（変形係数）などを把握することは可能である。
【００７５】
そして、露出部分を根入れがないとみなし、これまでの実験および解析結果の考察から、その時の剛体２２の固有振動数ｆ0 * を地盤強度に関係した無次元量Ｑ1 や剛体２２の形状に関係した無次元量Ｑ2 を用いて、上記した解析結果を重回帰分析することにより、固有振動数を目的変数として次式で近似する。
【００７６】
ｆ0 * ＝０．７４５Ｑ1 ・Ｑ2 ＋２．５３７                …（１０）
ここでｆ0 * は根入れ０の剛体の固有振動数、Ｑ1 およびＱ2 は上記式（４）および式（９）で表される無次元量である。なお、上記式（１０）の重回帰分析の相関係数はＲ2 ＝０．９８０である。
【００７７】
根入れがないケースでの固有振動数ｆ0 の解析結果と上記式（１０）から算定できる固有振動数ｆ0 * の関係を図１５に示す。このように解析結果と式（１０）で得られる推定値には高い相関があることが分かる。
【００７８】
次に、図７や図９に示したように、根入れ比ｄ／ｈ0 と固有振動数には比例の関係があることが分かっているので、根入れがある状態での固有振動数ｆと露出部分の根入れがないとみなした時の固有振動数ｆ0 * の比を用いて、根入れ深さの推定長を下記の式（１１）で近似した。なお、推定式（１１）の相関係数は、Ｒ2 ＝０．９２６である。
【００７９】
ｄ＝０．３５８（ｆ／ｆ0 * ）−０．３５１                …（１１）
このように、転石まわりの地盤強度や露出部分の寸法を把握することにより、上記式（５）により、露出部分の固有振動数ｆ0 * を算定し、上記式（１１）における固有振動数ｆを実測により求めることで、根入れ深さｄを推定することができる。
（２）推定式の検証
根入れ深さ推定の具体的な計算例として、図６の第２の供試体Ａ（Ａ−Ｈ４００）の根入れ比１／３、地盤「中」：Ｅ＝２５ＭＰａ，ｘ方向打撃のケースを考える。このケースでは、根入れ長ｄ＝０．１ｍ，露出長ｈ0 ＝０．３ｍ，Ｗ＝１．３８ｋＮとなり、各方向の長さはａ＝０．５ｍ，ｂ＝０．３ｍとなるので、Ａ＝ａ×ｂ＝０．１５ｍ2 ，ｂ／ｈ0 ＝０．３／０．３＝１である。
【００８０】
したがって、上記式（４）および式（５）から、Ｑ1 ＝５２．１２９、Ｑ2 ＝０．７０７が求まり、露出部分の根入れがないとみなした剛体の固有振動数がｆ0 * ＝３０．０Ｈｚと算定される。
【００８１】
この剛体の固有振動数ｆ0 * の値と根入れがある状態での固有振動数ｆ＝４０．９Ｈｚを上記式（１１）に代入すれば、根入れ長の推定長がｄ＝０．１３７ｍと得られる。この時根入れ深さの実長０．１ｍとの差は０．０３７ｍである。
【００８２】
このようにして計算した根入れ深さの実長と上記式（１１）による推定長の相関を図１６に示す。
【００８３】
相関係数は０．９２６と高く、実長に対して最大でも±０．１ｍ以内の誤差で精度よく根入れ深さを推定できることが示された。
【００８４】
上記したように、本発明によれば、
（１）転石を地盤中に根入れがある剛体に模擬し、形状や重量の異なる供試体を作成して地盤強度、根入れ深さなどの条件を変えて固有振動数の測定実験を行った。実験で行った固有振動数の測定方法は、打撃に使用するゴムハンマーやシステム構成がコンパクトであるために、実斜面においても十分使用可能である。
（２）剛体や地盤をモデル化して３次元有限要素法による固有値解析により、実験を再現することを試みた。地盤自体の振動の影響を排除するために地盤の密度を０としたこと、さらに静的に測定した平板載荷試験相当値に対して、地盤のひずみ効果を考慮した動的な２倍相当値を用いて地盤を評価することによって、実験と解析の結果の適合性が良いことを示した。
（３）地盤中に根入れを有する剛体の振動特性は非線形性の高い挙動を示すと考えられるが、地盤強度や剛体の形状に関して定義した無次元量Ｑ1 やＱ2 などと相関が高いことを示し、これらを説明変数とした推定式によって固有振動数を算定できることを示した。
（４）また、本発明では根入れ深さの推定を目的としているので、露出部分を根入れなしとみなして算定した固有振動数と根入れがある状態での実測固有振動数を用いて、根入れ深さを推定する推定式を提案した。
【００８５】
なお、本発明は上記実施例に限定されるものではなく、本発明の趣旨に基づき種々の変形が可能であり、これらを本発明の範囲から排除するものではない。
【産業上の利用可能性】
【００８６】
本発明の転石を模擬した剛体の振動特性による根入れ深さの推定方法は、斜面における転石を地盤中に根入れがある剛体に模擬し、転石を模擬した剛体の振動特性による根入れ深さの推定方法として利用可能である。
【符号の説明】
【００８７】
１，Ａ，Ｂ    供試体
２    加速度計
３    ゴムハンマー
４    ＡＤ変換器
５    パーソナルコンピュータ（ＰＣ）
６    根入れ地盤
７    基礎地盤
１１，２１    地盤
１２    供試体（Ａ−Ｈ５００）
２２    剛体
【図１】
0005943660.tif 000005
【図２】
0005943660.tif 000006
【図４】
0005943660.tif 000007
【図５】
0005943660.tif 000008
【図６】
0005943660.tif 000009
【図７】
0005943660.tif 000010
【図９】
0005943660.tif 000011
【図１０】
0005943660.tif 000012
【図１１】
0005943660.tif 000013
【図１２】
0005943660.tif 000014
【図１３】
0005943660.tif 000015
【図１４】
0005943660.tif 000016
【図１５】
0005943660.tif 000017
【図１６】
0005943660.tif 000018
【図１７】
0005943660.tif 000019
【図３】
0005943660.tif 000020
【図８】
0005943660.tif 000021